【手続補正書】
【提出日】平成20年10月9日(2008.10.9)
【手続補正１】
【補正対象書類名】明細書
【補正対象項目名】特許請求の範囲
【補正方法】変更
【補正の内容】
【特許請求の範囲】
【請求項１】  代替可能商品を取引するためのコンピュータ・トレーディング・システムであって、
取引に関する情報を含む取引情報メッセージを伝達するためのコミュニケーション・ネットワークと、
上記ネットワークに接続されていて、オーダーを含む価格クォーテーション・メッセージを発生する、複数のオーダー入力装置と、
ある配信構成において上記ネットワークに接続されており、ネットワーク全体に渡って取引情報メッセージを配信するように構成された複数のノードと、
を備えており、
ノード間でのメッセージ配信は、当該ノード間のカノニカル・パスを通して行なわれ、カノニカル・パスとは一対のノード間における最良の経路であり、
i)  与えられた２つのノード間のカノニカル・パスは、可換性であり、
ii)  与えられた２つのノード間のカノニカル・パスは、１または２以上のさらなるノードを含んでおり、当該さらなるノードと前記２つのノードのそれぞれとの間におけるカノニカル・パスは、与えられたノードとさらなるノードとの間におけるサブパスと同一であって、それが与えられたノード間におけるカノニカル・パスの一部を構成しており、
iii)  各ノードとそれ自身との間のカノニカル・パスは、エンプティである、
システム。
【請求項２】  上記ノードは、複数のクリークとして構成され、
各クリークは、論理接続された複数のノードを含み、
１つのクリークにおける各ノードは、そのクリーク内の他の全てのノードと接続され、
すべての２つのクリークは、単一のパスで接続され、
その結果、複数のノードがクリーク・ツリーを構成している、請求項１記載のシステム。
【請求項３】  ネットワーク上を伝達されるメッセージは、ルーティング情報を含んでいる、請求項１または２記載のシステム。
【請求項４】  上記ルーティング情報は、配信パターンを含んでいる、請求項３記載のシステム。
【請求項５】  上記ルーティング情報は、リクエストを送るメッセージ内で特定されるノードを含んでいる、請求項３または４記載のシステム。
【請求項６】  上記ルーティング情報は、ルーティング・フラグを含んでいる、請求項３から５のいずれか一項に記載のシステム。
【請求項７】  上記配信パターンは、標的パターンであって、メッセージが特定の目的地ノードまで送信される、請求項４記載のシステム。
【請求項８】  上記配信パターンは、一斉送信パターンであって、メッセージがネットワーク内の１つのノードまで送信される、請求項４記載のシステム。
【請求項９】  上記配信パターンは、排除を伴なうブロードキャストであって、メッセージがネットワーク内において、特定の１つまたは１セットのノードを除くすべてのノードまで送信される、請求項４記載のシステム。
【請求項１０】  上記配信パターンは、上記標的パターン、一斉送信パターン、排除を伴なう一斉送信パターンのうちの２つまたは３つ以上を含む複合パターンである、請求項７、８、または９記載のシステム。
【請求項１１】  上記ルーティング・フラグは、メッセージが最終目的地に対してのみ配信されるべきことを示すバイパス・フラグを含んでいる、請求項６記載のシステム。
【請求項１２】  上記ルーティング・フラグは、メッセージがそのソースから目的地までのパス上にある各ノードに対して配信されるべきことを示す閲覧フラグを含んでいる、請求項６記載のシステム。
【請求項１３】  上記ルーティング・フラグは、メッセージがそのソースノードから目的地までのパス上における最初のノードに対してのみ配信されるべきことを示す中断フラグを含んでいる、請求項６記載のシステム。
【請求項１４】  上記取引情報メッセージは、オーダー入力装置からノードへと送られた注文送信メッセージを含んでおり、
当該取引情報は、新しいオーダーがシステム内に入ったことを表示している、請求項１から１３のいずれか一項に記載のシステム。
【請求項１５】  上記取引情報メッセージは、新しいオーダーがオーダー入力装置から送信されたことを表示する注文有効メッセージを含んでおり、
注文有効メッセージは、ネットワーク内のノードに受け取られ、当該ノードは、当該を送信を行なっているオーダー入力装置がそこに接続されて、そこにネットワークを通じた一斉送信が行なわれているノードである、請求項１から１４のいずれか一項に記載のシステム。
【請求項１６】  上記取引情報メッセージは、オーダー入力装置からノードへと送られた注文取消メッセージを含んでおり、
当該取引情報は、オーダーがもはや有効ではないことを表示している、請求項１から１５のいずれか一項に記載のシステム。
【請求項１７】  上記取引情報メッセージは、注文取消メッセージが受領されたとき、ネットワークを通じて一斉送信される、注文中断メッセージを含んでいる、請求項１から１６のいずれか一項に記載のシステム。
【請求項１８】  上記取引情報メッセージは、注文がマッチしたノードから送られた取引申込メッセージを含んでおり、
当該取引情報は、２つの注文の間で取引が申し込まれたことを表示している、請求項１から１７のいずれか一項に記載のシステム。
【請求項１９】  上記取引情報メッセージは、マッチングするノードに一斉送信されるマーケット更新メッセージであり、
当該取引情報は有効なチャージであり、情報は注文の保有量である、請求項１から１８のいずれか一項に記載のシステム。
【請求項２０】  上記取引情報メッセージは、申し込まれた取引の片側を所有するノードによって送信された取引申込失敗メッセージであり、
当該取引情報は、取引の拒否または部分的な拒否である、請求項１８記載のシステム。
【請求項２１】  上記取引情報メッセージは、ヒット注文を送信されたノードによって送信されたヒット否マッチング・メッセージであり、
当該取引情報は、失敗したヒット注文に対して取引が申し込まれたことを示している、請求項１から２０のいずれか一項に記載のシステム。
【請求項２２】  上記取引情報メッセージは、ノードによってオーダー入力装置へと送信された注文確認メッセージであり、
当該取引情報は、そのオーダー入力装置からエンターされた注文がなお有効であるか否かを示している、請求項１から２１のいずれか一項に記載のシステム。
【請求項２３】  上記取引情報メッセージは、注文確認メッセージに応答して、オーダー入力装置からノードへと送信された注文確認済メッセージであり、
当該取引情報はなお有効である、請求項２２記載のシステム。
【請求項２４】  上記取引情報メッセージは、取引を確認したノードから取引を申し込んだノードへと送信された取引実行済メッセージであり、
当該取引情報は、申し込まれた取引が実行済であることを示している、請求項１から２３のいずれか一項に記載のシステム。
【請求項２５】  上記取引情報メッセージは、取引を申し込んだノードから送信された、リストがマッチングした旨のメッセージであり、
当該取引情報は、ヒット注文がマッチングしたことを示している、請求項１から２４のいずれか一項に記載のシステム。
【請求項２６】  上記ノードがブローカー・ノードであって、各ブローカー・ノードは、
システム内での取引に利用できるオーダーの蓄積と、
少なくとも１つのオーダー入力装置に価格を配信する手段と、
を含む、請求項１から２５のいずれか一項に記載のシステム。
【請求項２７】  上記ブローカー・ノードがクリーク・ツリーとして構成されており、
各クリークは、論理接続された複数のブローカー・ノードを含み、
任意の２つのクリークが単一のパスで接続されている、請求項２６記載のシステム。
【請求項２８】  上記単一のパスが連結する２つのクリークは、互いに共通するブローカー・ノードを１つ有している、請求項２７記載のシステム。
【請求項２９】  上記代替可能商品が金融商品である、請求項１から２８のいずれか一項に記載のシステム。
【請求項３０】  代替可能商品を取引するためのアノニマス・トレーディング・システムであって、
電子メッセージを伝達するコミュニケーション・ネットワークと、
コミュニケーション・ネットワークに接続されており、それぞれが、ビッドおよび(または)オファー・プライスを含む電子プライス・クォーテション・メッセージを発生するとともに、ネットワーク中に存在する他のオーダー入力装置から受け取ったプライス・クォーテション・メッセージに係るトレーダーとコミュニケーションを行なう、複数のオーダー入力装置と、
上記ネットワークに接続されており、オーダー入力装置からシステムに入力されたオーダーのマッチングを行ない、オーダーがマッチした取引を実行し、プライス・クォーテション・メッセージおよびオーダーのマッチングに応答して、プライス・クォーテション・メッセージをオーダー入力装置へと配信する、複数のブローキング・ノードと、
を備え、
上記ブローキング・ノードは、複数のクリークとして構成され、
各クリークは、論理接続された複数のブローキング・ノードを含み、
１つのクリークにおける各ブローキング・ノードは、そのクリーク内の他の全てのブローキング・ノードと接続され、
すべての２つのクリークは、単一のパスで接続され、
その結果、複数のブローキング・ノードがクリーク・ツリーを構成している、システム。
【請求項３１】  カウンター・パーティによってシステム内にエンターされたアノニマスなビッドおよびオファーをマッチングし、マッチしたビッドとオファーを実行して取引を成立させる、複数のブローキング・ノードを含み、
上記ブローキング・ノードは、複数のクリークとして構成され、
各クリークは、論理接続された複数のブローキング・ノードを含み、
そのクリークにおける各ブローキング・ノードは、そのクリーク内の他の全てのブローキング・ノードと接続され、
すべての２つのクリークは、単一のパスで接続され、
その結果、複数のブローキング・ノードがクリーク・ツリーを構成している、電子トレーディング・システム。